(57)【要約】【解決手段】磁力式固定装置１においては穿孔装置２が取り付けられる固定台６内に設けた磁気吸着体の磁力により固定台６を載置部５に固定する。磁気吸着体に設けた永久磁石を載置部５に対し接近または離間させる操作部８においては、固定台６の上壁部９の上面９ａよりも載置部５側下方領域ＳＤで固定台６の外側に設けた回動支点部２２により連動レバー１９を固定台６の外側で回動可能に支持している。連動レバー１９の両腕部２３，２４のうち第一腕部２３を磁気吸着体に連結するとともに第二腕部２４に対し操作ハンドル２１を連動リンク機構２０により連結している。操作ハンドル２１及び連動リンク機構２０は連動レバー１９の延設方向Ｘの両側のうち片側で穿孔装置２に隣接して固定台６の外側に配設されている。【効果】磁力式固定装置１を固定状態Ｐから解放可能状態Ｑにしたり解放可能状態Ｑから固定状態Ｐにしたりする作業を容易にする。【選択図】図１
2005342868.tif 000002
【特許請求の範囲】
【請求項１】
機能部が取り付けられる固定台内に設けた磁気吸着体の磁力によりその固定台を載置部に固定するようにした磁力式固定装置において、
前記磁気吸着体に設けた永久磁石を前記載置部に対し接近または離間させる操作部においては、この磁気吸着体に連結した連動レバーを固定台の外側で延設するとともに、この連動レバーに対し操作ハンドルを連動機構により連結し、この操作ハンドル及び連動機構は、連動レバーが延びる方向の両側のうち片側で機能部に隣接して固定台の外側に配設されている
ことを特徴とする磁力式固定装置。
【請求項２】
機能部が取り付けられる固定台内に設けた磁気吸着体の磁力によりその固定台を載置部に固定するようにした磁力式固定装置において、
前記固定台は、前記機能部を上面に載せて取り付ける取付壁部と、この取付壁部の外周で前記磁気吸着体の外周を囲うように設けた周壁部とを備え、
この磁気吸着体に設けた永久磁石を前記載置部に対し接近または離間させる操作部においては、固定台の取付壁部の上面よりも載置部側下方領域で固定台の外側に設けた回動支点部により連動レバーを固定台の外側で回動可能に支持し、この連動レバーで回動支点部を挟む両側の方向へ延びる両腕部のうち、第一の腕部を磁気吸着体に連結するとともに、第二の腕部に対し操作ハンドルを連動機構により連結し、この操作ハンドル及び連動機構は、連動レバーの両腕部が延びる方向の両側のうち片側で機能部に隣接して固定台の外側に配設されている
ことを特徴とする磁力式固定装置。
【請求項３】
前記操作部の連動機構はトグルジョイントであることを特徴とする請求項１または請求項２に記載の磁力式固定装置。
【請求項４】
前記固定台は、前記磁気吸着体の永久磁石と前記載置部との間に介在された磁性体である載置壁部を有していることを特徴とする請求項１または請求項２または請求項３に記載の磁力式固定装置。
【請求項５】
前記機能部は穿孔装置であって、前記固定台に取り付けられた電動モータと、この電動モータの頭部側に支持されてその電動モータにより回転するカッター取付軸とを備え、前記操作部の操作ハンドル及び連動機構は、このカッター取付軸に対し反対側になる電動モータの尻部側に隣接して固定台の外側に配設されていることを特徴とする請求項１から請求項４のうちいずれかの請求項に記載の磁力式固定装置。
【発明の詳細な説明】
【技術分野】
【０００１】
本発明は、穿孔装置などの機能部が取り付けられる固定台内に設けた磁気吸着体の磁力によりその固定台を載置部に固定するようにした磁力式固定装置に関するものである。
【背景技術】
【０００２】
従来の磁力式固定装置１を付設した穿孔機を図５（ａ）に示す。この磁力式固定装置１においては、操作部８で操作ハンドル２１を回動させると、固定台６内で複数の永久磁石１６を有する磁気吸着体７が上下方向Ｚへ平行移動し、図５（ｂ）に示す固定状態Ｐと、図５（ｃ）に示す解放可能状態Ｑとを取り得る。この固定状態Ｐでは、各永久磁石１６の磁力により固定台６が載置部５上に吸着される。この解放可能状態Ｑでは、各永久磁石１６が載置部５に対し一定距離Ｇだけ平均的に離間して各永久磁石１６の磁力が弱まり、固定台６を載置部５上から離すことができる。
【発明の開示】
【発明が解決しようとする課題】
【０００３】
しかし、前記磁力式固定装置１で操作部８特にその操作ハンドル２１は、固定台６上に取り付けられた穿孔装置２の両側において電動モータ３の頭部側と尻部側との間で電動モータ３に並べて配設されているので、穿孔装置２を狭いスペースに設置した場合には、操作ハンドル２１を回動操作しにくく、磁力式固定装置１を固定状態Ｐから解放可能状態Ｑにしたり解放可能状態Ｑから固定状態Ｐにしたりする作業が行いにくくなっていた。
【０００４】
この発明は、磁力式固定装置を固定状態から解放可能状態にしたり解放可能状態から固定状態にしたりする作業を容易にすることを目的としている。
【課題を解決するための手段】
【０００５】
後記実施形態の図面（図１〜３に示す第一実施形態、図４に示す第二実施形態）の符号を援用して本発明を説明する。
請求項１の発明にかかる磁力式固定装置（１）は下記のように構成されている。
【０００６】
この磁力式固定装置（１）においては、機能部（２）が取り付けられる固定台（６）内に設けた磁気吸着体（７）の磁力によりその固定台（６）を載置部（５）に固定するようにしている。前記磁気吸着体（７）に設けた永久磁石（１６）を前記載置部（５）に対し接近または離間させる操作部（８）においては、この磁気吸着体（１６）に連結した連動レバー（１９）を固定台（６）の外側で延設するとともに、この連動レバー（１９）に対し操作ハンドル（２１）を連動機構（２０，３３）により連結し、この操作ハンドル（２１）及び連動機構（２０，３３）は、連動レバー（１９）が延びる方向（Ｘ）の両側のうち片側で機能部（２）に隣接して固定台（６）の外側に配設されている。
【０００７】
請求項１の発明では、固定台（６）上にある機能部（２）に対し操作部（８）の操作ハンドル（２１）及び連動機構（２０，３３）が連動レバー（１９）の両腕部（２３，２４）が延びる方向（Ｘ）に対し直交する方向（Ｙ）で重ならない。そのため、連動レバー（１９）の両腕部（２３，２４）が延びる方向（Ｘ）に対し直交する方向（Ｙ）における機能部（２）の両側で操作ハンドル（２１）及び連動機構（２０，３３）が配設されない。
【０００８】
請求項２の発明にかかる磁力式固定装置（１）は下記のように構成されている。
この磁力式固定装置（１）においては、機能部（２）が取り付けられる固定台（６）内に設けた磁気吸着体（７）の磁力によりその固定台（６）を載置部（５）に固定するようにしている。前記固定台（６）は、前記機能部（２）を上面（９ａ）に載せて取り付ける取付壁部（９）と、この取付壁部（９）の外周で前記磁気吸着体（７）の外周を囲うように設けた周壁部（１０，１１，１２）とを備えている。この磁気吸着体（７）に設けた永久磁石（１６）を前記載置部（５）に対し接近または離間させる操作部（８）においては、固定台（６）の取付壁部（９）の上面（９ａ）よりも載置部（５）側下方領域（ＳＤ）で固定台（６）の外側に設けた回動支点部（２２）により連動レバー（１９）を固定台（６）の外側で回動可能に支持している。この連動レバー（１９）で回動支点部（２２）を挟む両側の方向（Ｘ）へ延びる両腕部（２３，２４）のうち、第一の腕部（２３）を磁気吸着体（７）に連結するとともに、第二の腕部（２４）に対し操作ハンドル（２１）を連動機構（２０，３３）により連結している。この操作部（８）の操作ハンドル（２１）及び連動機構（２０，３３）は、連動レバー（１９）の両腕部（２３，２４）が延びる方向（Ｘ）の両側のうち片側で機能部（２）に隣接して固定台（６）の外側に配設されている。ちなみに、前記磁気吸着体（７）で永久磁石（１６）が前記載置部（５）に対し離間する距離（Ｇ）は、互いに等しく設定されている。
【０００９】
請求項２の発明では、操作部（８）において連動レバー（１９）の主体部分を固定台（６）の取付壁部（９）の上面（９ａ）よりも載置部（５）側下方領域（ＳＤ）で配設することができるので、その上面（９ａ）よりも上側の上方領域（ＳＵ）にある機能部（２）に対し操作部（８）の連動レバー（１９）がその両腕部（２３，２４）が延びる方向（Ｘ）に対し直交する方向（Ｙ）で重ならない。また、この上方領域（ＳＵ）にある機能部（２）に対し操作部（８）の操作ハンドル（２１）及び連動機構（２０，３３）が連動レバー（１９）の両腕部（２３，２４）が延びる方向（Ｘ）に対し直交する方向（Ｙ）で重ならない。そのため、この上方領域（ＳＵ）において連動レバー（１９）の両腕部（２３，２４）が延びる方向（Ｘ）に対し直交する方向（Ｙ）における機能部（２）の両側で操作部（８）が配設されない。
【００１０】
請求項１または請求項２の発明を前提とする請求項３の発明において、前記操作部（８）の連動機構は第一実施形態に示す連動リンク機構（２０）としてのトグルジョイントである。この連動機構は第二実施形態に示すシリンダ（３３）であってもよい。請求項３の発明では、操作部（８）に与える力を小さくすることができる。
【００１１】
請求項１または請求項２または請求項３の発明を前提とする請求項４の発明において、前記固定台（６）は、前記磁気吸着体（７）の永久磁石（１６）と前記載置部（５）との間に介在された磁性体である載置壁部（１３）を有している。請求項４の発明では、永久磁石（１６）に載置部（５）上の異物が吸着しにくくなって磁気吸着体（７）を保護することができる。
【００１２】
請求項１から請求項４のうちいずれかの請求項の発明を前提とする請求項５の発明は、下記のように構成されている。
前記機能部は穿孔装置（２）であって、前記固定台（６）に取り付けられた電動モータ（３）と、この電動モータ（３）の頭部側に支持されてその電動モータ（３）により回転するカッター取付軸（４）とを備えている。前記操作部（８）の操作ハンドル（２１）及び連動機構（２０，３３）は、このカッター取付軸（４）に対し反対側になる電動モータ（３）の尻部側に隣接して固定台（６）の外側に配設されている。請求項５の発明では、請求項１から請求項４のうちいずれかの請求項の発明の効果を穿孔機において発揮させることができる。
【発明の効果】
【００１３】
本発明は、磁力式固定装置（１）を固定状態（Ｐ）から解放可能状態（Ｑ）にしたり解放可能状態（Ｑ）から固定状態（Ｐ）にしたりする作業を容易にすることができる。
【発明を実施するための最良の形態】
【００１４】
〔第一実施形態〕
まず、本発明の第一実施形態にかかる磁力式固定装置を付設した穿孔機について図１〜３を参照して説明する。
【００１５】
図１（ａ）（ｂ）及び図３（ａ）に示す穿孔機においては、図２（ａ）（ｂ）及び図３（ｂ）に示す磁力式固定装置１上に機能部としての穿孔装置２が設置されている。この穿孔装置２は、電動モータ３と、この電動モータ３の頭部側に支持されてその電動モータ３により回転するカッター取付軸４とを備えている。この磁力式固定装置１は、載置部５上に固定される固定台６と、この固定台６の内側に設けられた磁気吸着体７と、この固定台６の外側に設けられてこの磁気吸着体７に連結された操作部８とを備えている。
【００１６】
前記磁力式固定装置１の固定台６は、上壁部９（取付壁部）と、この上壁部９の外周で前記磁気吸着体７の外周を囲うように設けられた周壁部としての前壁部１０と後壁部１１と左右の側壁部１２と、下壁部１３（磁性体である薄い載置壁部）とを有し、それらの各壁部９，１０，１１，１２，１３間でこの固定台６の内側に収容室１４が形成されている。前記穿孔装置２の電動モータ３はこの固定台６の上壁部９の上面９ａに取り付けられてその上面９ａよりも上側の上方領域ＳＵに配設されている。前記穿孔装置２のカッター取付軸４はこの固定台６の前壁部１０の外側に配設されている。
【００１７】
前記磁力式固定装置１の磁気吸着体７においては、前記固定台６内の収容室１４で支持板１５の下側に複数の永久磁石１６がねじ１６ａにより着脱可能に配設され、この固定台６の左右両側壁部１２の外側に配設された連動体１７が、その左右両側壁部１２に形成された両長孔１８から収容室１４に挿通されてこの支持板１５の左右両側で前後方向Ｘの中央部に取着されている。前記固定台６の下壁部１３はこの磁気吸着体７の各永久磁石１６と前記載置部５との間に介在されている。この各永久磁石１６の表面積及び磁力は互いに等しくなっている。
【００１８】
前記磁力式固定装置１の操作部８は、左右の連動レバー１９と連動リンク機構２０（連動機構）と操作ハンドル２１とを備えている。固定台６の上壁部９の上面９ａよりも載置部５側の下方領域ＳＤにおいて、固定台６の左右両側壁部１２の外側には後壁部１１側寄りで回動支点部２２が取着され、これらの回動支点部２２に対し前記左右の連動レバー１９が固定台６の外側で上下方向Ｚへ回動可能に支持されている。これらの連動レバー１９において回動支点部２２を挟む両側で前後方向Ｘへ延びる両腕部２３，２４のうち、第一の腕部２３は前記磁気吸着体７の左右両連動体１７に対し軸部２５により回動可能に連結され、第二の腕部２４間には左右方向Ｙへ延びる連動桿２６が架設されている。前記カッター取付軸４に対し前後方向Ｘで反対側になる電動モータ３の尻部側に隣接して固定台６の外側で上壁部９の上面９ａにブラケット２７が取着され、このブラケット２７の上側に前記操作ハンドル２１が支軸２８を中心に上下方向Ｚへ回動可能に支持されている。
【００１９】
前記連動リンク機構２０は、トグルジョイントであって、前記ブラケット２７の下側に上下方向Ｚへ移動可能に支持されたスライドロッド２９と、前記操作ハンドル２１の支軸２８から離間した位置で操作ハンドル２１及びこのスライドロッド２９の上端部に対しそれぞれ軸部３１，３２により回動可能に支持された二股状の中間リンク３０とを備えている。このスライドロッド２９の下端部は前記左右両連動レバー１９の第二の腕部２４間で連動桿２６に対し回動可能に支持されている。
【００２０】
図１（ａ）及び図２（ａ）に示すように、磁力式固定装置１において固定台６を載置部５上に載せた状態から、操作部８で操作ハンドル２１を引き上げると、連動リンク機構２０で中間リンク３０によりスライドロッド２９も引き上げられ、左右両両連動レバー１９が回動して磁気吸着体７が長孔１８に沿って押し下げられ、各永久磁石１６の下端面が固定台６の下壁部１３の内側に接近して圧接される。従って、各永久磁石１６により固定台６の下壁部１３が磁化され、その磁力により固定台６が載置部５上に吸着される固定状態Ｐとなる。
【００２１】
図３（ａ）及び図３（ｂ）に示すように、磁力式固定装置１において固定台６が載置部５上に吸着された前記固定状態Ｐから、操作部８で操作ハンドル２１を押し下げると、連動リンク機構２０で中間リンク３０によりスライドロッド２９も押し下げられ、左右両両連動レバー１９が回動して磁気吸着体７が長孔１８に沿って引き上げられ、各永久磁石１６が固定台６の下壁部１３の内側から離間する。この各永久磁石１６の下端面を結ぶ平坦面をＦとした場合、その平坦面Ｆが載置部５や下壁部１３に対し離間する距離Ｇは、互いに等しくなるように設定されている。従って、下壁部１３による磁力が弱まり、固定台６を載置部５上から離すことができる解放可能状態Ｑとなる。
【００２２】
〔第二実施形態〕
次に、本発明の第二実施形態にかかる磁力式固定装置を付設した穿孔機について第一実施形態との相違点を中心に図４を参照して説明する。
【００２３】
この第二実施形態では、第一実施形態の操作部８における連動リンク機構２０に代えて油圧シリンダ３３を設けている。この油圧シリンダ３３においては、シリンダチューブ３４が前記ブラケット２７に対し軸部３５により回動可能に支持され、ピストンロッド３６が前記連動桿２６に対し回動可能に支持されている。操作部８における操作ハンドル２１は、このシリンダチューブ３４に対し支軸３７により回動可能に支持され、このシリンダチューブ３４から突出するスライドロッド３８に対しこの支軸３７から離間した位置で軸部３９により回動可能に支持されている。図４（ａ）に示す固定状態Ｐで、この操作ハンドル２１を往復回動させると、このスライドロッド３８も往復移動してピストンロッド３６が下動し、図４（ｂ）に示す解放可能状態Ｑになる。この解放可能状態Ｑで、シリンダチューブ３４に設けられたリターンノブ４０を回動させると、ピストンロッド３６がばね力により上動し、固定状態Ｐになる。
【図面の簡単な説明】
【００２４】
【図１】（ａ）は第一実施形態にかかる磁力式固定装置を付設した穿孔機において固定状態を示す側面図であり、（ｂ）は第一実施形態にかかる磁力式固定装置を付設した穿孔機において解放可能状態を示す平面図である。
【図２】（ａ）は固定状態にある上記磁力式固定装置を示す図１（ａ）の部分断面図であり、（ｂ）はこの磁力式固定装置の磁気吸着体を底面側から見た部分断面図である。
【図３】（ａ）は第一実施形態にかかる磁力式固定装置を付設した穿孔機において解放可能状態を示す側面図であり、（ｂ）は解放可能状態にある上記磁力式固定装置を示す（ａ）の部分断面図である。
【図４】（ａ）は第二実施形態にかかる磁力式固定装置を付設した穿孔機において固定状態を示す側面図であり、（ｂ）は第二実施形態にかかる磁力式固定装置を付設した穿孔機において解放可能状態を示す側面図である。
【図５】（ａ）は従来の磁力式固定装置を付設した穿孔機において固定状態を示す側面図であり、（ｂ）は固定状態にある上記磁力式固定装置を示す（ａ）の部分断面図であり、（ｃ）は解放可能状態にある上記磁力式固定装置を示す（ａ）の部分断面図である。
【符号の説明】
【００２５】
１…磁力式固定装置、２…穿孔装置（機能部）、３…電動モータ、４…カッター取付軸、５…載置部、６…固定台、７…磁気吸着体、８…操作部、９…上壁部（取付壁部）、９ａ…上面、１０…前壁部（周壁部）、１１…後壁部（周壁部）、１２…側壁部（周壁部）、１３…下壁部（載置壁部）、１６…永久磁石、１９…連動レバー、２０…連動リンク機構（連動機構）、２１…操作ハンドル、２２…回動支点部、２３…連動レバーの第一の腕部、２４…連動レバーの第二の腕部、３３…油圧シリンダ（連動機構）、ＳＤ…載置部側下方領域、ＳＵ…上方領域、Ｘ…前後方向（連動レバーが延びる方向）、Ｙ…左右方向。
【図１】
2005342868.tif 000003
【図２】
2005342868.tif 000004
【図３】
2005342868.tif 000005
【図４】
2005342868.tif 000006
【図５】
2005342868.tif 000007